(57)【特許請求の範囲】
【請求項１】
天井面に設置される収納部材と、前記収納部材に設けられた支持体とを有し、表示部材が、前記支持体に対して、前記天井面に沿う収納姿勢と下方へ回動した下向き姿勢との間で回動自在に支持されているモニタ装置において、
前記収納部材には、前記支持体を前記天井面に沿う第１の方向および前記第１の方向と逆向きの第２の方向へ移動させる移動手段と、モータの動力で前記表示部材を回動させる回動駆動手段と、前記支持体と収納姿勢の表示部材とが第１の方向へ移動したときに、前記表示部材の先部の下側に対向して前記表示部材の前記下向き姿勢への回動を規制する規制手段とが設けられており、
収納姿勢の表示部材の先部が前記規制手段で規制されている状態から、前記回動駆動手段によって、前記表示部材が前記規制手段から離れる方向へ回動させられ、さらに前記移動手段によって、前記支持体と前記表示部材とが第２の方向へ移動させられた後に、前記表示部材が前記規制手段と当たらない位置で、前記下向き姿勢方向へ回動させられることを特徴とするモニタ装置。
【請求項２】
天井面に設置される収納部材と、前記収納部材に設けられた支持体とを有し、表示部材が、前記支持体に対して、前記天井面に沿う収納姿勢と下方へ回動した下向き姿勢との間で回動自在に支持されているモニタ装置において、
前記収納部材には、前記支持体を前記天井面に沿う第１の方向および前記第１の方向と逆向きの第２の方向へ移動させる移動手段と、モータの動力で前記表示部材を回動させる回動駆動手段と、前記支持体と収納姿勢の表示部材とが第１の方向へ移動したときに、前記表示部材の先部の下側に対向して前記表示部材の前記下向き姿勢への回動を規制する規制手段とが設けられており、
前記回動駆動手段によって、下向き姿勢の表示部材が前記収納姿勢へ向けて回動させられ、さらに前記表示部材が、その先部が前記規制手段に当たらない位置まで上方へ回動させられた後に、前記移動手段によって、前記支持体と前記表示部材とが第１の方向へ移動させられて、前記表示部材の先部が前記規制手段の上方に収納されることを特徴とするモニタ装置。
【請求項３】
前記収納部材には下方に向けて開口する収納凹部が形成されて、前記支持体は前記収納凹部内で移動自在に設けられており、前記収納姿勢に回動した前記表示部材が前記収納凹部内に収納され、前記規制手段は前記収納凹部内に設けられている請求項１または２に記載のモニタ装置。
【請求項４】
車両の天井面にベース部材が固定され、このベース部材の下に前記収納部材が固定されており、前記ベース部材内に制御用の回路基板が設置され、前記収納部材に設けられた前記支持体と前記回路基板とがフレキシブルな配線部材により接続されている請求項１ないし３のいずれかに記載のモニタ装置。
【請求項５】
前記表示部材は、前記下向き姿勢へ回動した状態で、さらに表示画面の向きを左右に変えることができるように、前記支持体に回動可能に支持されている請求項１ないし４のいずれかに記載のモニタ装置。
【発明の詳細な説明】
【０００１】
【発明の属する技術分野】
本発明は、例えば車載用として使用されるモニタ装置に係り、特に表示部材を収納するときに天井面側へロックすることが可能なモニタ装置に関する。
【０００２】
【従来の技術】
図５は、従来の車載用のモニタ装置５０を示す断面図である。
【０００３】
このモニタ装置５０の表示部材５１は、前面５１ｂに液晶ディスプレイなどの表示画面が設けられている。この表示部材５１は自動車内の天井面４０に形成された凹部４１内に設けられている。表示部材５１の一端には、回動軸５２が設けられており、この回動軸５２が凹部４１内に設けられた支持片５３に回動自在に支持されている。
【０００４】
これにより、モニタ装置５０は、回動軸５２を支点として矢印Ｒ方向へ回動可能であり、使用時には実線で示す下向き姿勢となって、前記前面５１ｂの表示画面を車内から目視可能になり、非使用時には破線で示すように天井面に沿う収納姿勢となる。
【０００５】
従来の上記モニタ装置５０では、表示部材５１を手で回動させることにより、前記下向き姿勢と前記収納姿勢との間で移動させるものとなっている。
【０００６】
【発明が解決しようとする課題】
しかしながら、上記した従来のモニタ装置５０では、表示部材５１が図５にて破線で示す収納姿勢のときに、走行時の振動などにより、および／または機構的な遊びによって、表示部材５１が下方へ自然に回動し、天井面４０から背面５１ａが突出した状態となり、品位が損われる問題があった。
【０００７】
また、前記モニタ装置５０は、表示部材５１を回動させる操作が手動式のものであるため、表示部材５１を回動させる操作が面倒であり、また表示部材５１を収納姿勢にするときに、手で表示部材５１を上に十分に押上げないと、表示部材５１を凹部４１内に確実に収納させることができない欠点がある。
【０００８】
本発明は、上記従来の課題を解決するものであり、走行時の振動などによって表示部材が下方へ回動することがなく、また簡単な操作により表示部材を天井面に沿う収納姿勢となるように確実に収めることができるようにしたモニタ装置を提供することを目的とする。
【０００９】
【課題を解決するための手段】
本発明は、天井面に設置される収納部材と、前記収納部材に設けられた支持体とを有し、表示部材が、前記支持体に対して、前記天井面に沿う収納姿勢と下方へ回動した下向き姿勢との間で回動自在に支持されているモニタ装置において、
前記収納部材には、前記支持体を前記天井面に沿う第１の方向および前記第１の方向と逆向きの第２の方向へ移動させる移動手段と、モータの動力で前記表示部材を回動させる回動駆動手段と、前記支持体と収納姿勢の表示部材とが第１の方向へ移動したときに、前記表示部材の先部の下側に対向して前記表示部材の前記下向き姿勢への回動を規制する規制手段とが設けられており、
収納姿勢の表示部材の先部が前記規制手段で規制されている状態から、前記回動駆動手段によって、前記表示部材が前記規制手段から離れる方向へ回動させられ、さらに前記移動手段によって、前記支持体と前記表示部材とが第２の方向へ移動させられた後に、前記表示部材が前記規制手段と当たらない位置で、前記下向き姿勢方向へ回動させられることを特徴とするものである。
【００１０】
上記手段では、表示部材が天井面に沿う収納姿勢に回動した状態で、この表示部材をスライドさせて規制部材と係合させることで、表示部材の下向き方向への回動を規制できる。よって、振動などが与えられても表示部材が自重で下方向へ回動することがない。
【００１１】
また、本発明は、天井面に設置される収納部材と、前記収納部材に設けられた支持体とを有し、表示部材が、前記支持体に対して、前記天井面に沿う収納姿勢と下方へ回動した下向き姿勢との間で回動自在に支持されているモニタ装置において、
前記収納部材には、前記支持体を前記天井面に沿う第１の方向および前記第１の方向と逆向きの第２の方向へ移動させる移動手段と、モータの動力で前記表示部材を回動させる回動駆動手段と、前記支持体と収納姿勢の表示部材とが第１の方向へ移動したときに、前記表示部材の先部の下側に対向して前記表示部材の前記下向き姿勢への回動を規制する規制手段とが設けられており、
前記回動駆動手段によって、下向き姿勢の表示部材が前記収納姿勢へ向けて回動させられ、さらに前記表示部材が、その先部が前記規制手段に当たらない位置まで上方へ回動させられた後に、前記移動手段によって、前記支持体と前記表示部材とが第１の方向へ移動させられて、前記表示部材の先部が前記規制手段の上方に収納されることを特徴とするものである。
【００１２】
前記駆動手段と移動手段を有することで、操作釦の操作により、表示部材を規制部材で規制された状態と下向き姿勢との間で自動的に移動させることができる。
【００１５】
また、下向き姿勢の表示部材を収納するときには、収納姿勢に至った表示部材がさらに上方へ向けて回動させられた後に、表示部材の先部が規制手段の上に移動するため、表示部材を規制手段の上に確実に係合させることができる。
【００１６】
また本発明は、天井面に固定された収納部材が設けられ、前記収納部材には下方に向けて開口する収納凹部が形成されて、前記支持体は前記収納凹部内で移動自在に設けられており、前記収納姿勢に回動した前記表示部材は前記収納凹部内に収納され、前記規制手段は前記収納凹部内に設けられているものとすることができる。
【００１７】
前記構造では、収納姿勢の表示部材が収納部材の収納凹部内に収められるので、表示部材の収納状態の外観が良好になり、また前記収納部材またはその周囲をクッション性の部材で覆うことで、車両内での乗員の安全性を高めることができる。
【００１８】
さらに、車両の天井面にベース部材が固定され、このベース部材の下に前記収納部材が固定されており、前記ベース部材内に制御用の回路基板が設置され、前記収納部材内に設けられた前記支持体と前記回路基板とがフレキシブルな配線部材により接続されているものとすることができる。
【００１９】
前記のようにベース部材と収納部材とを別部材にしておくと、例えばベース部材を共通部品とし、収納部材を表示部材の種別や大きさなどに応じて変更することが容易になる。あるいは、収納部材と表示部材とを共通部品とし、車の天井形状に合わせたベース部材を変更することによって、各種の車に取付けが可能となる。
【００２０】
さらに、前記表示部材は、前記下向き姿勢へ回動した状態で、さらに表示画面の向きを左右に変えることができるように回動可能であるものとすることが可能である。
【００２１】
【発明の実施の形態】
図１は本発明のモニタ装置を示す断面図であり、収納姿勢の表示部材が規制部材に規制されている状態を示す。図２は本発明のモニタ装置の動作を示す断面図であり、表示部材が収納姿勢と下向き姿勢との間で回動する状態を示す。図３は表示部材と支持体を示す分解斜視図である。
【００２２】
図１および図２に示すように、車内の天井面４０にモニタ装置１が設けられている。上記のモニタ装置１は、例えば、自動車内の運転席と助手席との間の天井、運転席側の天井、後部座席の天井など適宜選択して取り付けることができる。
【００２３】
モニタ装置１には、収納部材１０とベース部材２０とが設けられている。収納部材１０の下面には、一部が切り欠かれた開口部１０ａを有する収納凹部１１が形成されている。収納凹部１１内には、Ｙ方向の一方に表示部材２が配置され、他方に支持体５が配置されている。また前記開口部１０ａの縁部には、規制手段として機能する係止部材１２が、前記収納部材１０と一体に形成されている。
【００２４】
前記表示部材２には、液晶ディスプレイなどの平面型の表示パネル３が組込まれており、この表示パネル３の表示画面は収納時には上を向いた状態となる。図３に示すように、前記表示部材２の基端部には、側面に軸穴２ｄ，２ｄが形成されている。また一方の軸穴２ｄの周囲には、所定のピッチ円の部分歯車Ｇ４が一体に形成されている。あるいは歯車が固定されていてもよい。
【００２５】
前記支持体５は、回転ベース７と移動ベース８とで構成されている。
図３に示すように、回転ベース７は、合成樹脂または金属などで形成されたブロック状の筐体７ａからなる。筐体７ａの両端には、表示部材２側へ延びる支持片７ｂ，７ｂが一体に突出形成され、前記支持片７ｂ，７ｂにはそれぞれ内方へ突出する軸突起７ｃ，７ｃが一体に形成されている。
【００２６】
回転ベース７の軸突起７ｃ，７ｃが、表示部材２の軸穴２ｄ，２ｄに挿入され、表示部材２が回転ベース７に対して上下方向へ回動自在に支持されている。
【００２７】
図２に示すように、回転ベース７には、回動駆動手段を構成するモータＭ１と伝達ギヤＧ１が設けられている。モータＭ１の動力は図示しない減速ギヤ群を介して前記伝達ギヤＧ１に伝達される。また回転ベース７の前記表示部材２が対向する面には、図示しない開口部が形成されており、この開口部から前記伝達ギヤＧ１の歯の一部または全部が露出している。そしてこの伝達ギヤＧ１が前記表示部材２の部分歯車Ｇ４と噛み合っている。なお、伝達ギヤＧ１と部分歯車Ｇ４が幅方向の両側（Ｘ１側とＸ２側）に対を成して設けられていてもよい。
【００２８】
前記移動ベース８は、合成樹脂や金属などで形成されたブロック状の筐体８ａからなる。筐体８ａの上端には前記回転ベース７側に向けて張出部８ｂが一体に突出して形成されている。前記張出部８ｂは前記回転ベース７の上面に位置している。
【００２９】
図２及び図３に示すように、回転ベース７の上面には、その幅方向中央部に回動軸１５が一体に形成されている。一方、移動ベース８の前記張出部８ｂには、軸受が設けられ、前記回動軸１５が前記軸受に回動自在に挿通されている。さらに回動軸１５の先端には抜け止めリング１６が嵌着されて、回転ベース７が移動ベース８に対して回動自在に支持され、且つ移動ベース８から回転ベース７が抜け出ないようになっている。
【００３０】
前記移動ベース８の両側面には、外方へ突出するスライド突条部８ｃ（反対側も同様）がＹ１−Ｙ２方向に延びて形成されている。また移動ベース８には、移動手段としての、モータＭ２とピニオンギヤＧ２とが設けられている。モータＭ２の動力は図示しない減速ギヤ群で減速されて前記ピニオンギヤＧ２に伝達される。
【００３１】
前記モータＭ２は移動ベース８の内部に設けられ、ピニオンギヤＧ２は移動ベース８の一側面で且つスライド突条部８ｃの上側から露出している。
【００３２】
前記収納部材１０内の両側面の内部には、Ｙ１−Ｙ２方向に延びる細長状の案内部材９ａ，９ｂが固定設置されている。案内部材９ａ，９ｂには、その内側面にＹ１−Ｙ２方向に沿って案内溝９ａ１，９ｂ１が形成されている。また案内部材９ａの上面には、Ｙ１−Ｙ２方向に沿ってラックギヤＧ３が形成されている。
【００３３】
前記案内溝９ａ１，９ｂ１には前記移動ベース８のスライド突条部８ｃが挿通されて、移動ベース８がＹ１−Ｙ２（前後方向）方向に案内される。またこのとき、前記ラックギヤＧ３は、移動ベース８のピニオンギヤＧ２と噛合する。なお、前記ピニオンギヤＧ２と前記ラックギヤＧ３が幅方向の両側（Ｘ１側とＸ２側）にそれぞれ設けられていてもよい。
【００３４】
図１及び図２に示すように、表示部材２と支持体５とが収納された収納部材１０は、ベース部材２０に固定される。前記ベース部材２０の内部には、前記表示部材２と、回転ベース７と、移動ベース８とを制御する制御回路が設けられた回路基板２１が収納されている。
【００３５】
前記ベース部材２０の上面には、四隅に取付け穴が形成されており、各取付け穴にねじ２４が挿通され、このねじ２４の先端が天井面４０に螺着固定され、ベース部材２０が天井面４０に固定されている。
【００３６】
またベース部材２０の下面には収納部材１０が固定される。ベース部材２０の下面には係止穴２３が形成され、収納部材１０上面には、前記係止穴２３に係止される鉤状のフック部材１３が形成されている。前記フック部材１３を前記係止穴２３に係止させた状態で、前記収納部材１０とベース部材２０とがねじ１４で固定されている。したがって、前記ねじ１４を外すことで、収納部材１０をベース部材２０から分離できる。例えばベース部材２０を共通部品とし、収納部材１０を表示部材２の機種や寸法に応じて異なる形状および大きさとし、収納部材１０を任意に選択してベース部材２０に固定することができる。
【００３７】
前記ベース部材２０内の回路基板２１には、外部接続コネクタが設けられており、このコネクタに外部からの制御線３０が接続される。また回路基板２１には、フィルムに回路パターン等が形成されたフレキシブル基板２２が接続されており、このフレキシブル基板２２は、前記移動ベース８内の前記モータＭ２、回転ベース７内の前記モータＭ１、および表示部材２にそれぞれ接続されている。
【００３８】
上記したように、制御線３０は図示しない制御装置に接続されている。この制御装置は、表示部材２の回動制御、パワーオン、音量調整、チャンネル選択などの制御を行うものである。この制御装置は、操作部材により操作される。操作部材は車内の前席や後席、インストルメントパネルなどに設けられ、あるいは赤外線送信などを用いた遠隔操作装置である。
【００３９】
以下、上記モニタ装置１の動作について説明する。
モニタ装置１を使用していない状態では、図１に示すように、表示部材２は天井面４０と平行な収納姿勢となって、収納部材１０の収納凹部１１内に収納されている。この状態で表示部材２の先端２ａが、係止部材１２の上に位置し、前記係止部材１２によって、前記表示部材２の下向きへの回動が規制されている。
【００４０】
前記操作部材により表示部材２を回動させるための操作信号が入力されると、前記制御回路の制御により、図１の状態から、移動ベース８内のモータＭ２が始動しピニオンギヤＧ２が反時計回りに回動する。これにより、ピニオンギヤＧ２はラックギヤＧ３上を噛合しながらＹ２方向へ移動し、これと共に表示部材２が移動して、その先端が前記係止部材１２から離れる。表示部材２が回動しても係止部材１２に当たらない位置まで移動ベース８がＹ２方向へ移動した時点で、前記モータＭ２が停止する。
【００４１】
このとき、移動ベース８と表示部材２がＹ２方向へ移動する直前に、モータＭ１を始動させて、表示部材２に対して一端上昇させる方向への回転力を与えるように制御することが好ましい。これにより表示部材２と係止部材１２とが完全に離れてから、移動ベース８および表示部材２がＹ２方向へ移動するようになり、表示部材２と係止部材１２とが擦れ合うのを防止でき、表示部材２の裏面２ｂに傷がつくことを防止できる。また表示部材２と係止部材１２との摩擦が発生しないため、移動ベース８と表示部材２が確実にＹ２方向へ移動できるようになる。
【００４２】
前記移動ベース８がＹ２方向へ移動して停止すると、回転ベース７内のモータＭ１が始動し、伝達ギヤＧ１が反時計方向に回転させられる。これにより、伝達ギヤＧ１が表示部材２の部分歯車Ｇ４に時計方向への回転力を与え、表示部材２は収納凹部１１から下方（Ｚ１方向）へ回動する。そして、図２において一点鎖線で示すように、表示部材２が下向き姿勢となり、表示パネル３が車内から目視可能となった状態で、モータＭ１が停止する。
【００４３】
なお、モータＭ１の回転時間を制御することにより、表示部材２の下向きの姿勢角度を制御でき、例えば予め下向きの姿勢角度を前記制御回路内の記憶素子に記憶させておくことで、表示部材２が下向き姿勢に回動したときに、常に同じ傾斜角度に設定できるようになる。
【００４４】
さらに、表示部材２を回動軸１５を中心として左右に回動させることで、表示部材２の表示画面を左右の自由な方向へ向けることができる。なおこのときの回動動作は手動であってもよいし、あるいはモータの動力を使用して行ってもよい。
【００４５】
次に、操作部材により表示部材２を収納する指示を行うと、回転ベース７内のモータＭ１が回転し、ギヤ群を介して伝達ギヤＧ１が時計回り方向へ回転させられる。伝達ギヤＧ１により部分歯車Ｇ４が反時計方向へ駆動され、表示部材２が上方（Ｚ２方向）へ回動させられる。そして、表示部材２が収納凹部１１内に完全に収納されるまで回動すると、前記モータＭ１が停止する。
【００４６】
さらに、モータＭ２が回転しピニオンギヤＧ２が時計回りに回転させられて、ピニオンギヤＧ２はラックギヤＧ３上を移動し、移動ベース８および表示部材２がＹ１方向へ移動する。そして、表示部材２の下面が係止部材１２の上に至ったときに前記モータＭ２が停止する。
【００４７】
前記モータＭ２により、移動ベース８と表示部材２がＹ１方向へ移動する際に、前記モータＭ１をさらに駆動し、表示部材２に対して上方への回動力を与えることが好ましい。これにより表示部材２の先端２ａが係止部材１２に当ることなく係止部材１２の上に移動できる。よって、表示部材２の先端２ａが確実に係止部材１２の上に移動し、前記先端２ａが係止部材１２に当たって機構がロック状態となるのを避けることができる。
【００４８】
また、係止部材１２の先端上面にテーパー１２ａを形成しておくと、Ｙ１方向へ移動する表示部材２の先端２ａを係止部材１２の上に確実に導くことができる。
【００４９】
図４は、比較例のモニタ装置２１において、規制手段を示す一部拡大断面図である。なお、規制手段を除く部分の構成は、上記モニタ装置１と同様でありその説明を省略する。
【００５０】
図４に示すモニタ装置２１では、収納部材１０の収納凹部１１内に規制手段として機能する嵌合突部２５が形成され、この嵌合突部２５は前記収納凹部１１内において表示部材２と対向する面に形成されている。一方、表示部材２には、前記嵌合突部２５と対向する位置に嵌合凹部２６が形成されている。
【００５１】
上記したモニタ装置２１において、収納時には前記嵌合突部２５が前記嵌合凹部２６内に挿入され、これにより表示部材２の下方への回動が規制されている。また表示部材２を開く場合には、表示部材２をＹ２方向へ移動させて前記嵌合状態を解除させた後に、表示部材２を下方へ回動させる。
【００５４】
【発明の効果】
以上説明した本発明は、表示部材を天井側に収納するものであり、表示部材が走行時の振動や自重によって下方へ下がり、品位が損なわれるといったことが防止される。
【図面の簡単な説明】
【図１】本発明のモニタ装置を示す断面図であり、表示部材が規制手段で規制されている状態を示す、
【図２】本発明のモニタ装置の内部構造及び動作を示す断面図、
【図３】表示部材と支持体を示す分解斜視図、
【図４】比較例のモニタ装置を示す一部拡大断面図、
【図５】従来のモニタ装置を示す断面図、
【符号の説明】
１  モニタ装置
２  表示部材
２ｄ  軸穴
３  表示パネル
５  支持体
７  回転ベース
７ｃ  軸突起
８  移動ベース
９ａ，９ｂ  案内部材
９ａ１，９ｂ１  案内溝
１０  収納部材
１１  収納凹部
１２  係止部材（規制手段）
１３  フック部材
１５  回動軸
２０  ベース部材
２１  回路基板
２２  フレキシブル基板
４０  天井面
Ｇ１  伝達ギヤ
Ｇ２  ピニオンギヤ
Ｇ３  ラックギヤ
Ｇ４  部分歯車
Ｍ１，Ｍ２  モータ
【図１】
0004082849.tif 000002
【図２】
0004082849.tif 000003
【図３】
0004082849.tif 000004
【図４】
0004082849.tif 000005
【図５】
0004082849.tif 000006